(57)【要約】【課題】機械操作に不慣れな使用者であっても簡単操作を可能とする。【解決手段】プロジェクタと書画カメラとをＵＳＢインタフェースを介して直接接続する。プロジェクタは、表示する画像の入力ソースを切り替える入力ソース切替部と、前記ＵＳＢインタフェースによる通信を確立する通信確立部（Ｓ１１０、Ｓ１２０）と、前記通信確立部により前記通信が確立されたことを受けて、前記入力ソース切替部を制御して前記入力ソースを前記画像入力装置に切り替える切替制御部（Ｓ１６０、Ｓ１７０）とを備える。その後ストリームネゴシエーションを行い（ステップＳ１９０、Ｓ２４０）、書画カメラからプロジェクタ１０へのストリームの送受信を行う（ステップＳ２５０、Ｓ１９２）。【選択図】図３
2010177736.tif 000002
【特許請求の範囲】
【請求項１】
画像入力装置と画像表示装置とをＵＳＢインタフェースを介して直接接続し、前記画像
入力装置で得られた画像を前記画像表示装置で表示する画像表示システムにおいて、
前記画像表示装置は、
表示する画像の入力ソースを切り替える入力ソース切替部と、
前記ＵＳＢインタフェースによる通信を確立する通信確立部と、
前記通信確立部により前記通信が確立されたことを受けて、前記入力ソース切替部を制
御して前記入力ソースを前記画像入力装置に切り替える切替制御部と
を備え、
前記画像入力装置は、
前記切替制御部により前記入力ソースの切り替えがなされた後に、当該画像入力装置で
得られた画像を、前記ＵＳＢインタフェースを介して前記画像表示装置に送信する画像送
信部を備え、
前記画像表示装置は、さらに、
前記画像入力装置の前記画像送信部から送られてきた画像を受信する画像受信部を備え
る、画像表示システム。
【請求項２】
請求項１に記載の画像表示システムであって、
前記通信確立部は、
前記画像入力装置との間の前記ＵＳＢインタフェースを介した接続を検出するＵＳＢ接
続検出部と、
前記画像入力装置のコンフィグレーションディスクリプタを取得するコンフィグレーシ
ョン設定部と
を備え、
前記画像表示装置は、さらに、
前記コンフィグレーション設定部により取得したコンフィグレーションディスクリプタ
に基づいて、前記画像を送受信するための条件を確定するストリームネゴシエーション部
を備える、画像表示システム。
【請求項３】
請求項２に記載の画像表示システムであって、
前記コンフィグレーションディスクリプタは、前記画像入力装置で得られる画像の色空
間を規定するための種類データを少なくとも含み、
前記画像表示装置は、
前記種類データに基づいて、前記画像受信部で受信した画像の色補正を行う画像色補正
部を備える、画像表示システム。
【請求項４】
請求項１ないし３のいずれかに記載の画像表示システムであって、
前記画像表示装置は、
前記通信確立部による前記通信の確立後、前記切替制御部による前記入力ソースの切り
替えがなされるまでの間に、前記画像表示装置がスタンバイ状態にあるか否かを判定する
スタンバイ状態判定部と、
前記スタンバイ状態判定部によりスタンバイ状態が判定されたとき、前記画像表示装置
をスタンバイ状態からオン状態に切り替える起動部と
を備える、画像表示システム。
【請求項５】
画像入力装置に対してＵＳＢインタフェースを介して直接接続され、前記画像入力装置
で得られた画像を表示する画像表示装置において、
表示する画像の入力ソースを切り替える入力ソース切替部と、
前記ＵＳＢインタフェースによる通信を確立する通信確立部と、
前記通信確立部により前記通信が確立されたことを受けて、前記入力ソース切替部を制
御して前記入力ソースを前記画像入力装置に切り替える切替制御部と
を備える画像表示装置。
【請求項６】
請求項５に記載の画像表示装置であって、
前記通信確立部は、
前記画像入力装置との間の前記ＵＳＢインタフェースを介した接続を検出するＵＳＢ接
続検出部と、
前記画像入力装置のコンフィグレーションディスクリプタを取得するコンフィグレーシ
ョン設定部と
を備え、
さらに、
前記コンフィグレーション設定部により取得したコンフィグレーションディスクリプタ
に基づいて、前記画像を送受信するための条件を確定するストリームネゴシエーション部
を備える、画像表示装置。
【請求項７】
請求項６に記載の画像表示装置であって、
前記コンフィグレーションディスクリプタは、前記画像入力装置で得られる画像の色空
間を規定するための種類データを少なくとも含み、
前記種類データに基づいて、前記画像受信部で受信した画像の色補正を行う画像色補正
部を備える、画像表示装置。
【請求項８】
請求項５ないし７のいずれかに記載の画像表示装置であって、
前記通信確立部による前記通信の確立後、前記切替制御部による前記入力ソースの切り
替えがなされるまでの間に、前記画像表示装置がスタンバイ状態にあるか否かを判定する
スタンバイ状態判定部と、
前記スタンバイ状態判定部によりスタンバイ状態が判定されたとき、前記画像表示装置
をスタンバイ状態からオン状態に切り替える起動部と
を備える、画像表示装置。
【発明の詳細な説明】
【技術分野】
【０００１】
本発明は、画像入力装置と画像表示装置とを備える画像表示システムと、画像表示装置
とに関する。
【背景技術】
【０００２】
近年、プロジェクタと書画カメラを用いて、書画カメラで撮像した画像をプロジェクタ
で投影するということが、プレゼンテーション等で有効活用されている。こうした画像表
示システムの一つとして、コンピュータに書画カメラとプロジェクタとを接続し、書画カ
メラの電源がオンされると、コンピュータが、書画カメラを制御することで資料の撮影を
行い、プロジェクタを制御することでその撮影により得られた画像の投影を行う構成が提
案されている（特許文献１）。この構成によれば、書画カメラの電源がオンされると、自
動的に資料を投影することができる（特許文献１）。
【０００３】
しかしながら、上記従来の技術では、プロジェクタと書画カメラとの間にコンピュータ
が介在されることから、コンピュータ操作が必要となり、機械操作に不慣れな使用者では
簡単に操作することができないという問題があった。
【０００４】
【特許文献１】特開２００５−７９７３０号公報
【発明の開示】
【発明が解決しようとする課題】
【０００５】
本発明は、上述した従来の課題を解決するためになされたものであり、機械操作に不慣
れな使用者であっても簡単操作を可能とすることを目的とする。
【課題を解決するための手段】
【０００６】
上記課題の少なくとも一部を解決するために、本発明は、以下の形態または適用例とし
て実現することが可能である。
【０００７】
［適用例１］  画像入力装置と画像表示装置とをＵＳＢインタフェースを介して直接接続
し、前記画像入力装置で得られた画像を前記画像表示装置で表示する画像表示システムに
おいて、前記画像表示装置は、表示する画像の入力ソースを切り替える入力ソース切替部
と、前記ＵＳＢインタフェースによる通信を確立する通信確立部と、前記通信確立部によ
り前記通信が確立されたことを受けて、前記入力ソース切替部を制御して前記入力ソース
を前記画像入力装置に切り替える切替制御部とを備え、前記画像入力装置は、前記切替制
御部により前記入力ソースの切り替えがなされた後に、当該画像入力装置で得られた画像
を、前記ＵＳＢインタフェースを介して前記画像表示装置に送信する画像送信部を備え、
前記画像表示装置は、さらに、前記画像入力装置の前記画像送信部から送られてきた画像
を受信する画像受信部を備える、画像表示システム。
【０００８】
適用例１に記載の画像表示システムでは、画像入力装置と画像表示装置との間でＵＳＢ
インタフェースによる通信が確立されると、画像表示装置は、切替制御部により、自動的
に入力ソースを画像入力装置に切り替える。その後、画像入力装置から、画像送信部によ
り画像が送信され、画像表示装置は、画像受信部によりその送られてきた画像を受信する
。したがって、使用者は、画像入力装置と画像表示装置とをＵＳＢ接続するだけで、画像
入力装置で得られた画像を画像表示装置で簡単に表示することができる。
【０００９】
［適用例２］  適用例１に記載の画像表示システムであって、前記通信確立部は、前記画
像入力装置との間の前記ＵＳＢインタフェースを介した接続を検出するＵＳＢ接続検出部
と、前記画像入力装置のコンフィグレーションディスクリプタを取得するコンフィグレー
ション設定部とを備え、前記画像表示装置は、さらに、前記コンフィグレーション設定部
により取得したコンフィグレーションディスクリプタに基づいて、前記画像を送受信する
ための条件を確定するストリームネゴシエーション部を備える、画像表示システム。
【００１０】
適用例２に記載の画像表示システムは、コンフィグレーション設定部により取得したコ
ンフィグレーションディスクリプタに基づいて、前記画像を送受信するための条件を確定
することができ、ＵＳＢの規格に則って通信を行うことができる。
【００１１】
［適用例３］  適用例１または２に記載の画像表示システムであって、前記コンフィグレ
ーションディスクリプタは、前記画像入力装置で得られる画像の色空間を規定するための
種類データを少なくとも含み、前記画像表示装置は、前記種類データに基づいて、前記画
像受信部で受信した画像の色補正を行う画像色補正部を備える、画像表示システム。
【００１２】
適用例３に記載の画像表示システムでは、画像入力装置で得られた画像は、画像表示装
置の色域内で忠実に再現できるように色補正される。したがって、適用例３に記載の画像
表示システムは、色の再現性に優れている。
【００１３】
［適用例４］  適用例１ないし３のいずれかに記載の画像表示システムであって、前記画
像表示装置は、前記通信確立部による前記通信の確立後、前記切替制御部による前記入力
ソースの切り替えがなされるまでの間に、前記画像表示装置がスタンバイ状態にあるか否
かを判定するスタンバイ状態判定部と、前記スタンバイ状態判定部によりスタンバイ状態
が判定されたとき、前記画像表示装置をスタンバイ状態からオン状態に切り替える起動部
とを備える、画像表示システム。
【００１４】
適用例４に記載の画像表示システムでは、画像入力装置と画像表示装置との間でＵＳＢ
インタフェースによる通信が確立された後に、画像表示装置がスタンバイ状態にある場合
にオン状態に自動的に切り替えられる。したがって、画像入力装置で得られた画像を画像
表示装置で簡単に表示することが確実に行われる。
【００１５】
［適用例５］  画像入力装置に対してＵＳＢインタフェースを介して直接接続され、前記
画像入力装置で得られた画像を表示する画像表示装置において、表示する画像の入力ソー
スを切り替える入力ソース切替部と、前記ＵＳＢインタフェースによる通信を確立する通
信確立部と、前記通信確立部により前記通信が確立されたことを受けて、前記入力ソース
切替部を制御して前記入力ソースを前記画像入力装置に切り替える切替制御部とを備える
画像表示装置。
【００１６】
適用例５に記載の画像表示装置では、画像入力装置と間でＵＳＢインタフェースによる
通信が確立されると、切替制御部により、自動的に入力ソースが画像入力装置に切り替え
られる。したがって、適用例１に記載の画像表示システムと同様に、使用者は、画像入力
装置と画像表示装置とをＵＳＢ接続するだけで、画像入力装置で得られた画像を画像表示
装置で簡単に表示することができる。
【００１７】
他の適用例の画像表示装置として、適用例２ないし４のいずれかに記載の画像表示シス
テムの構成要素を適用例５に記載の画像表示装置に加えた構成としてもよい。
【００１８】
また、本発明は、種々の態様で実現することが可能であり、例えば、前記画像入力装置
または前記画像表示装置の各部を実現するための方法、前記各部を実現するためのコンピ
ュータプログラム、そのコンピュータプログラムを記録した記録媒体、そのコンピュータ
プログラムを含み搬送波内に具現化されたデータ信号、等の形態で実現することができる
。
【発明を実施するための最良の形態】
【００１９】
以下、本発明の実施の形態を、図面を参照しつつ実施例に基づいて説明する。
【００２０】
１．ハードウェアの構成：
図１は、本発明の一実施例としてのプロジェクタシステムの概略構成を示す説明図であ
る。図示するように、プロジェクタシステム１００は、プロジェクタ１０と、このプロジ
ェクタ１０に接続される４台の画像入力機器、すなわち、書画カメラ５０と、パーソナル
コンピュータ９０と、ビデオテープレコーダ（ＶＴＲ）９１と、ＤＶＤプレイヤ９２とを
備える。これら画像入力機器は、プロジェクタ１０に対して画像の入力ソースを提供する
。ここで、画像とは、静止画、動画（すなわち映像）のいずれであってもよい。書画カメ
ラ５０は映像を取得する。プロジェクタ１０は、これら入力ソースのうちから所望のもの
を選択し、その選択した入力ソースに基づいて、画像をスクリーンＳＣに表示（投写）す
る。
【００２１】
書画カメラ５０は、基台５２と、載置面５４と、アーム５６と、カメラヘッド５８と、
操作パネル６０等を備える。載置面５４は、基台５２上に設けられ、文字や絵が描かれた
紙や、立体的な物等の被写体Ｔが載置される。アーム５６は、カメラヘッド５８を保持す
る。カメラヘッド５８は、レンズ、ＬＥＤ、およびＣＣＤなどの光電変換素子等を備えて
構成され、載置面５４に載置された被写体Ｔを撮像する。操作パネル６０は、複数のボタ
ン（ボタン型のスイッチ）を備え、使用者による書画カメラ５０に対する操作指令を入力
する。
【００２２】
なお、アーム５６は、基台５２から上方側に延びて固定されたものであってもよいし、
基台５２に向けて折りたたみ可能に回動する構成としてもよい。折りたたみ可能とするこ
とで、書画カメラ５０をコンパクトにまとめることができる。使用時には、アーム５６の
折りたたみを開いてアームを展開する。
【００２３】
かかる構成の書画カメラ５０によれば、載置面５４に載置された被写体Ｔを撮像し、そ
の撮像により得られた画像を示す画像信号をプロジェクタ１０に出力する。なお、プロジ
ェクタ１０と書画カメラ５０との間は、ＵＳＢケーブル６２を介してＵＳＢ接続されてい
る。すなわち、プロジェクタ１０と書画カメラ５０との間は、ＵＳＢインタフェースを介
して直接接続されている。
【００２４】
図２は、プロジェクタ１０と書画カメラ５０の内部構成を示す説明図である。図示する
ように、プロジェクタ１０は、制御部２０、記憶部２２、操作部２４、ＵＳＢインタフェ
ース部２６、入力インタフェース部２８、入力ソース切替部３０、画像処理部３２、およ
び投写部３４を備える。３６はバスで、制御部２０と、投写部３４を除く各部２２〜３２
との間を接続する。
【００２５】
制御部２０は、ＣＰＵなどにより構成され、記憶部２２に記憶されているコンピュータ
プログラムに従って作動し、各部２２〜３２を制御する。記憶部２２は、画像データや各
種のコンピュータプログラムを記憶する。各種のコンピュータプログラムとしては、周知
のＵＳＢモジュール、ＵＳＢビデオクラスドライバ、画像表示プログラム、および後述す
る接続時処理用のプログラム等が記憶されている。
【００２６】
操作部２４は、プロジェクタ１０に使用者からの操作指令を入力するためのもので、操
作パネル（図示せず）、リモコン受光部（図示せず）等を含む。なお、操作パネルとリモ
コンには、プロジェクタ１０で表示する画像の入力ソースを切り換えるための入力ソース
切替用ボタン（図示せず）を備える。
【００２７】
ＵＳＢインタフェース部２６は、ＵＳＢ（ユニバーサル・シリアル・バス）の規格に則
って外部機器と制御データや画像データ等をやり取りするためのものである。本実施例で
は、書画カメラ５０はこのＵＳＢインタフェース部２６と接続されている。
【００２８】
入力インタフェース部２８は、ＵＳＢ以外の外部機器と制御データおよび画像データを
やり取りするためのインタフェースであり、ここでは、ＲＧＢインタフェース、ビデオイ
ンタフェース、Ｓ−ビデオインタフェース等を含む。ＲＧＢインタフェースにはパーソナ
ルコンピュータ９０が、ビデオインタフェースにはＶＴＲ９１が、Ｓ−ビデオインタフェ
ースにはＤＶＤプレイヤ９２がそれぞれ接続されている。
【００２９】
入力ソース切替部３０は、ＵＳＢインタフェース部２６と、入力インタフェース部２８
に備えられる各インタフェースとの中から１つのインタフェースを選択することで、プロ
ジェクタ１０で表示する画像の入力ソースを切り替える。
【００３０】
画像処理部３２は、入力ソース切替部３０により選択されたインタフェースから入力さ
れる画像データもしくは映像データに基づいて画像表示用の表示用画像データを生成する
。投写部３４は、光源、光変調素子および接写レンズ（これら図示せず）等を備えて構成
され、画像処理部３２によって生成される表示用画像データに基づいて光変調した投写光
を投写する。
【００３１】
書画カメラ５０は、制御部７０、記憶部７２、操作部７４、ＵＳＢインタフェース部７
６、照明部７８、照明制御部８０、撮像部８２、画像処理部８４、および解像度変換部８
６を備える。８８はバスで、制御部７０と、照明部７８および撮像部８２を除く各部７２
〜７６、８０、８４、８６との間を接続する。
【００３２】
制御部７０は、ＣＰＵ、ＤＳＰなどにより構成され、記憶部７２に記憶されているコン
ピュータプログラムに従って作動し、書画カメラ５０に備えられる各部７０〜８６を制御
する。記憶部７２は、画像データや各種のコンピュータプログラムを記憶する。各種のコ
ンピュータプログラムとしては、周知のＵＳＢモジュール、ＵＳＢクラスドライバ、後述
する接続時処理用のプログラム等が記憶されている。
【００３３】
操作部７４は、書画カメラ５０に使用者からの操作指令を入力するためのもので、書画
カメラ５０に設けられている操作パネル６０（図１）を含む。
【００３４】
ＵＳＢインタフェース部７６は、ＵＳＢの規格に則って外部機器と制御データや画像デ
ータ等をやり取りするためのものである。本実施例では、このＵＳＢインタフェース部７
６は、プロジェクタ１０のＵＳＢインタフェース部２６と接続されている。両ＵＳＢイン
タフェース部２６、７６が、本発明の構成要素である「ＵＳＢインタフェース」に相当す
る。
【００３５】
照明部７８は、被写体Ｔに光を照射するＬＥＤなどの光源である。照明制御部８０は、
照明部７８のオン／オフなどを制御する。撮像部８２は、ＣＣＤなどの光電変換素子や、
ＡＥ（自動露出）／ＡＦ（自動フォーカス）制御を行う駆動部等を備える。撮像部８２は
カメラヘッド５８（図１）に内蔵される。画像処理部８４は、撮像部８２により得られた
画像を示す画像信号に対してホワイトバランスなどの画像処理を施す。解像度変換部８６
は、撮像部８２により得られた画像の解像度をプロジェクタ１０が要求した解像度へ変換
する。このプロジェクタ１０の要求は、ＵＳＢＩ／Ｆ部７６を介してプロジェクタ１０か
ら送られてくる。
【００３６】
なお、書画カメラ５０は、ＵＳＢインタフェース部２６を介してプロジェクタ１０側か
ら電源の供給を受けるように構成されている。
【００３７】
以上のように構成されたプロジェクタ１０および書画カメラ５０は、次のように動作し
て、被写体Ｔ（図１）の画像の表示を行う。すなわち、書画カメラ５０側では、制御部７
０は、操作部７４の操作を受けると、照明制御部８０、画像処理部８４、および解像度変
換部８６を制御することで、載置面５４（図１）に載置された被写体Ｔの撮像を行い、そ
の撮像により得られた画像信号（画像データ）を記憶部７２に一旦記憶する。その後、制
御部７０は、ＵＳＢＩ／Ｆ部７６を介して、記憶部７２に記憶された画像信号をプロジェ
クタ１０側に送信する。
【００３８】
プロジェクタ１０側では、制御部２０は、ＵＳＢＩ／Ｆ部２６を介して、書画カメラ５
０から送られてくる画像信号を受信し、画像処理部３２を制御することで、その受信した
画像信号に基づいて表示用画像データを生成する。この結果、投写部３４により、前記表
示用画像データに基づいて光変調した投写光が投写される。この結果、スクリーンＳＣ（
図１）に被写体Ｔの画像が表示される。
【００３９】
プロジェクタ１０は、先に説明したように、書画カメラ５０以外にも種々の入力ソース
を備える。プロジェクタ１０の制御部２０は、操作部２４に備えられた入力ソース切替用
ボタン（図示せず）に対する使用者による操作を受けたときに、入力ソース切替部３０を
作動させて、ＵＳＢインタフェース部２６、および入力インタフェース部２８に備えられ
る各インタフェースの中から一つのインタフェースを選択することで、プロジェクタ１０
で表示する画像の入力ソースの切り替えを行う。
【００４０】
さらに、本実施例では、書画カメラ５０がプロジェクタ１０に接続されたときに、書画
カメラ５０で撮像された画像をプロジェクタ１０で投写することが自動的に開始される。
プロジェクタ１０と書画カメラ５０とが接続されたときのプロジェクタ１０および書画カ
メラ５０の動作について、次に詳細に説明する。
【００４１】
２．ソフトウェアの構成：
図３は、プロジェクタ１０および書画カメラ５０の各制御部２０、７０で実行される接
続時処理を示すフローチャートである。図中、右側がプロジェクタ１０の制御部２０につ
いての接続時処理であり、左側が書画カメラ５０の制御部７０についての接続時処理であ
る。
【００４２】
処理が開始されると、各制御部（以下、「プロジェクタ制御部」、「書画カメラ制御部
」と呼ぶ）２０、７０は、最初に、プロジェクタ１０と書画カメラ５０との間のＵＳＢに
よる接続を検出する処理を行う（ステップＳ１１０、Ｓ２１０）。この処理は、ＵＳＢケ
ーブル６２を用いて、プロジェクタ１０のＵＳＢインタフェース部２６と書画カメラ５０
のＵＳＢインタフェース部７６との間が接続されることを検出する。図示はしないが、こ
の接続を受けて、ＵＳＢケーブル６２を介してプロジェクタ１０から書画カメラ５０への
電源供給が開始される。なお、各制御部２０、７０は、接続の検出がなされない場合には
、接続検出がなされるのを待つ。
【００４３】
各制御部２０、７０は、ＵＳＢ接続の検出がなされると、次いで、コンフィグレーショ
ンの設定を行う（ステップＳ１２０、２２０）。詳細には、プロジェクタ制御部２０は、
書画カメラ５０へコンフィグレーションディスクリプタを要求し、書画カメラ制御部７０
は、その要求に応えてコンフィグレーションディスクリプタをプロジェクタ１０に返答す
る。プロジェクタ制御部２０は、書画カメラ５０から送られてくるコンフィグレーション
ディスクリプタを取得する。
【００４４】
ディスクリプタには、書画カメラ５０がＵＳＢ規格に準じた装置として動作することを
示すコンフィグレーションディスクリプタが含まれる。コンフィグレーションディスクリ
プタには、書画カメラ５０の機能でプロジェクタ１０が制御できる機能一覧や、サポート
しているフレームの解像度、サポートしているフレームのフォーマット（ＭＪＰＥＧ／Ｙ
ＵＶ）、および色空間の種類（ｓＲＧＢ／ＢＴ．４７０−２（Ｍ）／ＢＴ．４７０−２（
Ｒ，Ｇ）／ＳＭＰＴＥ１７０Ｍ／ＳＭＰＴＥ２４０Ｍ）などが含まれる。色空間の種類に
ついては、書画カメラ５０内部で移用する色空間が決定されており、この決定された色空
間がコンフィグレーションディスクリプタに含まれている。
【００４５】
ステップＳ１２０、Ｓ２２０のコンフィグレーション設定は、実際は、ＵＳＢ接続検出
後に実行開始されるエニュメレーションの過程で行われるものである。すなわち、実際は
、ＵＳＢの規格に準じたエニュメレーションの処理が行われるが、図示のフローチャート
では主要な構成であるコンフィグレーション設定だけを記載している。
【００４６】
プロジェクタ制御部２０は、ディスクリプタが正常に取得できると、ＵＳＢビデオクラ
スドライバをロードする（ステップＳ１３０）。詳細には、ディスクリプタに含まれてい
るデバイスクラス情報からＵＳＢビデオデバイスクラスであることを検知して、ＵＳＢビ
デオクラスドライバをロードする。このロードされたＵＳＢビデオクラスドライバを必要
に応じて用いながら以下の処理は実行される。
【００４７】
ステップＳ１３０の実行後、プロジェクタ制御部２０は、プロジェクタ１０がスタンバ
イ状態にあるか否かを判定し（ステップＳ１４０）、スタンバイ状態にあるときは、プロ
ジェクタ１０の電源をオン状態とする（ステップＳ１５０）。ステップＳ１５０の実行後
、ステップＳ１６０に処理を進める。ステップＳ１４０で、スタンバイ状態でない、すな
わち電源オン状態にあると判定されたときには、ステップＳ１６０に処理を進める。
【００４８】
ステップＳ１６０では、プロジェクタ制御部２０は、プロジェクタ１０の現在の入力ソ
ース、すなわちカレントソースは、書画カメラ５０であるか否かを判定する。ここで、カ
レントソースは書画カメラ５０でないと判定されたときには、プロジェクタ１０の入力ソ
ースを書画カメラ５０に切り替える処理を行う（ステップＳ１７０）。詳細には、入力ソ
ース切替部３０を動作させて、プロジェクタ１０で表示する画像の入力ソースを書画カメ
ラ５０に切り替える。ステップＳ１６０およびＳ１７０が、本発明の構成要素である「切
替制御部」に対応する。ステップＳ１７０の実行後、ステップＳ１８０に処理を進める。
ステップＳ１６０で、カレントソースは書画カメラ５０であると判定されたときには、ス
テップＳ１８０に処理を進める。
【００４９】
ステップＳ１８０では、プロジェクタ制御部２０は、書画カメラ５０の制御パラメータ
を取得する処理を行う。この処理は、書画カメラ５０に対して各種の制御パラメータを要
求し、その要求に応えて書画カメラ５０から送られてくる各種の制御パラメータを取得す
る。制御パラメータは、例えば、プロジェクタ１０から制御できる書画カメラ５０の機能
（ズーム、コントラスト調整、ブライトネス調整など）の設定範囲値（Ｍｉｎ／Ｍａｘ）
や、上記機能の現在の設定値等である。これら制御パラメータは、プロジェクタ１０側の
図示しない処理により必要に応じて利用される。
【００５０】
書画カメラ制御部７０は、プロジェクタ制御部２０から制御パラメータの要求を受ける
と、その要求に応えて制御パラメータをプロジェクタ１０に送信する（ステップＳ２３０
）。
【００５１】
プロジェクタ制御部２０は、ステップＳ１８０の実行後、ストリームネゴシエーション
の処理を行う（ステップＳ１９０）。ここでいうストリームネゴシエーションとは、ステ
ップＳ１２０で取得したコンフィグレーションディスクリプタに基づいてプロジェクタ１
０の設定を行う処理である。書画カメラ制御部７０は、プロジェクタ制御部２０とやりと
りを行いつつ、同様にストリームネゴシエーションの処理を行う（ステップＳ２４０）。
ステップＳ１９０およびＳ２４０の処理は、詳細には、フレーム解像度、フレームフォー
マット、インターバル、バンド幅などストリーム（画像データ）を送出するための条件を
確定する。
【００５２】
書画カメラ制御部７０は、ステップＳ２４０の実行後、ステップＳ２４０で確定した条
件でストリームの送信を行う（ステップＳ２５０）。プロジェクタ制御部２０は、ステッ
プＳ１９０の実行後、書画カメラ５０に対してストリームの送信を要求し、ステップＳ２
５０で送信されたストリームを受信する（ステップＳ１９２）。その後、プロジェクタ制
御部２０は、ステップＳ１２０で取得したコンフィグレーションディスクリプタに含まれ
る色空間の種類に基づいて、ステップＳ１９２で受信したストリームである画像データを
色補正する処理を行う（ステップＳ１９４）。すなわち、プロジェクタ制御部２０は、画
像処理部３２を作動させて、プロジェクタ１０の色域内で目標特性を忠実に再現できるよ
うにカラーマッチングを行うことで、表示用画像データを生成しているが、ステップＳ１
９４では、上記目標特性を、ステップＳ１８０で取得した色空間の種類に基づいて設定す
る。この結果、表示用画像データは、プロジェクタ１０の色域内で忠実に再現できるよう
に色補正される。
【００５３】
続いて、プロジェクタ制御部２０は、投写部３４を動作させて、ステップＳ１９４で生
成した表示用画像データの投写を実行させる（ステップＳ１９６）。プロジェクタ制御部
２０は、その後、この接続時処理を終了する。書画カメラ制御部７０は、ステップＳ２５
０の実行後、接続時処理を終了する。
【００５４】
３．作用、効果：
以上のように構成された本実施例のプロジェクタシステム１００では、書画カメラ５０
とプロジェクタ１０との間でＵＳＢインタフェースによる通信が確立されると、プロジェ
クタ１０は、自動的に入力ソースを書画カメラ５０に切り替える。その後、書画カメラ５
０からストリームが送信され、プロジェクタ１０はそのストリームを受信する。したがっ
て、使用者は、プロジェクタ１０と書画カメラ５０とをＵＳＢ接続するだけで、書画カメ
ラ５０で撮像された画像をプロジェクタ１０で簡単に表示することができる。
【００５５】
また、本実施例のプロジェクタシステム１００では、書画カメラ５０とプロジェクタ１
０との間でＵＳＢインタフェースによる通信が確立された後に、プロジェクタ１０がスタ
ンバイ状態にあるときには、プロジェクタ１０の電源をオン状態に自動的に切り替える。
また、プロジェクタ１０は、自動的に入力ソースを書画カメラ５０に切り替える。したが
って、書画カメラ５０で撮像された画像をプロジェクタ１０で簡単に表示することが確実
に行われる。
【００５６】
さらに、本実施例では、プロジェクタ１０において、コンフィグレーション設定により
得られたコンフィグレーションディスクリプタに含まれる色空間の種類に基づいて色補正
を行っていることから、書画カメラ５０で得られた画像は、プロジェクタ１０の色域内で
忠実に再現できるように色補正される。したがって、プロジェクタ１０での色の再現性に
優れている。
【００５７】
４．変形例：
なお、この発明は上記の実施例やその変形例に限られるものではなく、その要旨を逸脱
しない範囲において種々の態様において実施することが可能であり、例えば次のような変
形も可能である。
【００５８】
（１）上記実施例では、プロジェクタシステム１００を構成するプロジェクタ１０と書画
カメラ５０との接続時処理において、書画カメラ制御パラメータの取得と送信（ステップ
Ｓ１８０、ステップＳ２３０）を行っていたが、この処理は省く構成としてもよい。また
、上記実施例では、ステップS１９４で画像色補正処理を行っていたが、この画像色補正
処理は省く構成としてもよい。さらに、ステップＳ１６０およびＳ１７０の入力ソースを
書画カメラ５０に切り替える処理は、ステップＳ１８０の直後、またはＳ１９０の直後に
移動した構成としてもよい。
【００５９】
（２）上記実施例では、画像入力装置として書画カメラ５０を用いていたが、これに替え
て、撮像部を備える他の画像入力装置、例えば、ウェブカメラ、デジタルスチルカメラ、
ビデオカメラ等を用いる構成としてもよい。
【００６０】
（３）上記実施例では、画像表示装置として、外部のスクリーンＳＣに画像を投影するプ
ロジェクタ１０を用いていたが、これに替えて、スクリーンと、スクリーンの背面側に画
像を投影するプロジェクタとを備えるプロジェクションテレビを用いる構成としてもよい
。さらには、プロジェクタに限るものではなく、ディスプレイ装置等の種々の画像表示装
置に換えることもできる。
【００６１】
（４）上記実施例では、画像入力装置としての書画カメラ５０と画像表示装置としてのプ
ロジェクタ１０との間がＵＳＢケーブル６２により接続されていたが、これに換えてワイ
ヤレスＵＳＢにより両者の間が無線を介して接続された構成とすることもできる。
【００６２】
（５）また、上記実施例において、ハードウェアによって実現されていた構成の一部をソ
フトウェアに置き換えるようにしてもよく、逆に、ソフトウェアによって実現されていた
構成の一部をハードウェアに置き換えるようにしてもよい。
【図面の簡単な説明】
【００６３】
【図１】本発明の一実施例としてのプロジェクタシステム１００の概略構成を示す説明図である。
【図２】プロジェクタ１０と書画カメラ５０の内部構成を示す説明図である。
【図３】プロジェクタ１０および書画カメラ５０の各制御部２０、７０で実行される接続時処理を示すフローチャートである。
【符号の説明】
【００６４】
１０…プロジェクタ
２０…制御部
２２…記憶部
２４…操作部
２６…ＵＳＢインタフェース部
２８…入力インタフェース部
３０…入力ソース切替部
３２…画像処理部
３４…投写部
５０…書画カメラ
５２…基台
５４…載置面
５６…アーム
５８…カメラヘッド
６０…操作パネル
７０…制御部
７２…記憶部
７４…操作部
７６…ＵＳＢインタフェース部
７８…照明部
８０…照明制御部
８２…撮像部
８４…画像処理部
８６…解像度変換部
９０…パーソナルコンピュータ
９１…ビデオテープレコーダ
９２…ＤＶＤプレイヤ
１００…プロジェクタシステム
Ｔ…被写体
ＳＣ…スクリーン
【図１】
2010177736.tif 000003
【図２】
2010177736.tif 000004
【図３】
2010177736.tif 000005